(57)【特許請求の範囲】
【請求項１】
擬似こけら瓦でなる平瓦であって、
この平瓦の平瓦本体の裏面には、その周辺に平坦帯部と、またこの平坦帯部の中に凹部を形成し、また、この平瓦本体の頭側裏面に、前記凹部の凹部頭側端部から頭側垂れに向って深く形成した削面を設け、さらに平瓦本体の尻側裏面に尻剣を設ける構成とした擬似こけら瓦。
【請求項２】
請求項１に記載の擬似こけら瓦において、
前記平瓦本体の裏面に設けた凹部は、裏面視して略楕円形状とするとともに、この凹部は、前記平坦帯部に向って競り上って設けた傾斜面を介して、この平坦帯部に連設される構成とした擬似こけら瓦。
【請求項３】
請求項１に記載の擬似こけら瓦において、
前記平瓦本体の裏面に設けた凹部の尻側は、前記尻剣まで至るとともに、その頭側は、前記削面の基端側までとし、この削面の頭側裏面は、フラットとする構成とした擬似こけら瓦。
【請求項４】
請求項１に記載の擬似こけら瓦において、
前記尻剣が、一本尻剣構造とした擬似こけら瓦。
【請求項５】
請求項１に記載の擬似こけら瓦において、
前記周辺に設けた平坦帯部を、葺設後に、踏み台として利用する構成とした擬似こけら瓦。
【発明の詳細な説明】
【技術分野】
【０００１】
本発明は、重ね葺きする平瓦の構造で、擬似こけら瓦に関する。
【背景技術】
【０００２】
従来、この種の擬似こけら瓦は、こけら材の代替屋根材である。このこけら材とは、杉、サワラ、ヒバ、栗等の木を、スライスし、平板状にするとともに、所定の大きさとした構造であり、屋根地に、ルーフィング材、又はアスファルト材を敷設し、このルーフィング材の上に、重ね葺きして屋根を構築する際に使用される。従って、本来は、日本家屋の屋根の構築に利用される。
【０００３】
しかし、この擬似こけら瓦は、昨今の嗜好の多様化と、斬新性の要望から、市場で、注目を浴びているとともに、これに類する発明が、先行文献の中にも挙げられる。
【０００４】
この先行文献を説明する。文献（１）は、特開平１０−１８３８６９号の「屋根瓦および屋根葺き方法」である。この発明は、尻側に水切り突条（水昇り防止部）を備えた、板状の瓦本体であって、この瓦本体は、その表面（正面）に、幅方向の両側端縁部から、それぞれから中央部に向けて先下がりの傾斜面を設けるとともに、この傾斜面の先下がり対峙箇所に、前記側端縁部に対して所定の凹没量で凹没した曲面状の流水谷部を設け、また、裏面（背面）に、幅方向の両側端縁部から、それぞれから中央部に向けて先下がりの傾斜面を設けるとともに、この傾斜面の先下がり対峙箇所に、前記側端縁部に対して所定の凹没量で凹没した曲面状の背面凹没部を設け、この表裏面の傾斜面、又はこの背面凹没部と、前記流水谷部が対峙関係となる構造である。そして、その特徴は、擬似こけら瓦としての耐久性や対荷重性、生産性と、経済性の向上を図りつつ、かつデザイン性にも優れた上で、雨漏りを確実に抑止することができるという屋根瓦本来の機能性を従来のものに比べて格段に改良した構造を提案できる特徴がある。また、文献（２）は、特開平８−１２０８３３号の「雨漏りを防止する千鳥葺き用瓦」である。この発明は、瓦本体の表面に、その幅方向の両側端縁部それぞれから中央部に向けて先下がりの傾斜面を設けるとともに、裏面を、前記表面の傾斜面と同じ逆傾斜面とした構造である。そして、その特徴は、千鳥葺きに施工する略平板状の洋型瓦において、豪雨にあっても雨漏りしないような瓦を提供することにある。
【０００５】
【特許文献１】特開平１０−１８３８６９号
【特許文献２】特開平８−１２０８３３号
【発明の開示】
【発明が解決しようとする課題】
【０００６】
前記文献（１）は、葺設時に、上段（上位）の瓦本体の背面凹没部を、下段（下位）に葺設された二枚の瓦本体の各側端縁部で支持する構造（支持点とする）であるが、この支持点から、下がった傾斜面間には、隙間が形成される（明細書の［００６０］に開示）ことから、踏み割れが発生する蓋然性がある。尚、明細書の［００４１］に開示されているが如く、幅方向の中央部と両側端部が、下段の二枚の瓦本体で支持されるので、踏み割れ（踏み崩れ）が生じ難くとある。しかし、前記隙間が形成されることから、この隙間に荷重が掛かると、踏み割れが生ずる可能性がある。
【０００７】
また、この隙間があれば、仮に、頭側裏面に凸条を形成しても、雨水の競り上がりを確実に防止するには、問題があるものと考えられる（図１１（イ）と（ロ）参照）。
【０００８】
次に、文献（２）の瓦は、幅方向の両側端縁部にそれぞれ設けた高所の端辺と、この高所の端辺間に設けた傾斜面と、この傾斜面間に設けた平板底部と、前記高所の端辺に設けた受け板でなる瓦である。従って、本発明とは、形状面での類似性はある。しかし、受け板を有する構造であり（図３参照）、その葺設方法、機能、又は雨水の受止め方等の本質的なところで、本発明とは異なる瓦である。
【課題を解決するための手段】
【０００９】
請求項１の発明は、擬似こけら瓦としての特徴を発揮しつつ、略凹形状の凹部を囲繞する平坦帯部を設けた構造であり、擬似こけら瓦に掛かる荷重を分散し、葺設後の踏み割れが回避できる構造の擬似こけら瓦を提供することを意図する。また、この請求項１の発明は、頭見付けの隙間（目透かし）を形成し、下段の平瓦本体との接地面（接点）がないので、この目透かしを覆うように、被膜が形成され、削面の基端側（削面と平坦帯部との接続部）と、下段の平瓦本体の表面との接地面の微細な隙間で発生する毛細管現象による雨水の侵入防止を図ること、またこの削面を形成することで（特に、頭側方向「目透かし方向」において、同じ削り角度とすることで）、メリハリのある陰影の生成と、美的な高級感を醸成すること（桧皮葺風の厚みのある屋根を提供すること）等を意図する。さらに、この請求項１の発明は、略凹形状の凹部を囲繞する平坦帯部を設けた構造であり、外圧からの対抗性と、歪防止、並びに成形時の歩留まりの向上に役立てること等を意図する。
【００１０】
請求項１は、擬似こけら瓦でなる平瓦であって、
この平瓦の平瓦本体の裏面には、その周辺に平坦帯部と、またこの平坦帯部の中に凹部を形成し、また、この平瓦本体の頭側裏面に、前記凹部の凹部頭側端部から頭側垂れに向って深く形成した削面を設け、さらに平瓦本体の尻側裏面に尻剣を設ける構成とした擬似こけら瓦である。
【００１１】
請求項２の発明は、請求項１の目的を達成すること、また、略凹形状の凹部と、この凹部を囲繞する傾斜面、及び平坦帯部を設けた構造とし、外圧からの対抗性と、歪防止、並びに成形時の歩留まりの向上に役立てること等を意図する。
【００１２】
請求項２は、請求項１に記載の擬似こけら瓦において、
前記平瓦本体の裏面に設けた凹部は、裏面視して略楕円形状とするとともに、この凹部は、前記平坦帯部に向って競り上って設けた傾斜面を介して、この平坦帯部に連設される構成とした擬似こけら瓦である。
【００１３】
請求項３の発明は、請求項１の目的を達成すること、また、略凹形状の凹部を設ける位置を限定する構造とし、外圧からの対抗性と、歪防止、並びに成形時の歩留まりの向上・擬似こけら瓦の軽量化に役立てること等を意図する。
【００１４】
請求項３は、請求項１に記載の擬似こけら瓦において、
前記平瓦本体の裏面に設けた凹部の尻側は、前記尻剣まで至るとともに、その頭側は、前記削面の基端側までとし、この削面の頭側裏面は、フラットとする構成とした擬似こけら瓦である。
【００１５】
請求項４の発明は、請求項１の目的を達成すること、また、略凹形状の凹部と、この凹部の尻側に一本尻剣を設けた構造とし、外圧からの対抗性と、歪防止、並びに成形時の歩留まりの向上に役立てること等を意図する。
【００１６】
請求項４は、請求項１に記載の擬似こけら瓦において、
前記尻剣が、一本尻剣構造とした擬似こけら瓦である。
【００１７】
請求項５の発明は、請求項１の目的を達成すること、また、略凹形状の凹部を囲繞する平坦帯部を設けた構造であり、外圧からの対抗性と、歪防止、並びに踏み割れ防止に役立てること等を意図する。
【００１８】
請求項５は、請求項１に記載の擬似こけら瓦において、
前記周辺に設けた平坦帯部を、葺設後に、踏み台として利用する構成とした擬似こけら瓦である。
【発明の効果】
【００１９】
請求項１の発明は、擬似こけら瓦でなる平瓦であって、
平瓦の平瓦本体の裏面には、周辺に平坦帯部と、また平坦帯部の中に凹部を形成し、また、平瓦本体の頭側裏面に、凹部の凹部頭側端部から頭側垂れに向って深く形成した削面を設け、さらに平瓦本体の尻側裏面に尻剣を設ける構成とした擬似こけら瓦である。
【００２０】
従って、請求項１は、擬似こけら瓦としての特徴を発揮しつつ、略凹形状の凹部を囲繞する平坦帯部を設けた構造であり、擬似こけら瓦に掛かる荷重を分散し、葺設後の踏み割れが回避できる構造の擬似こけら瓦を提供できる特徴を有する。そして、また、この請求項１は、頭見付けの隙間（目透かし）を形成し、下段の平瓦本体との接地面（接点）がないので、この目透かしを覆うように、被膜が形成され、削面の基端側（削面と平坦帯部との接続部）と、下段の平瓦本体の表面との接地面の微細な隙間で発生する毛細管現象による雨水の侵入防止が図れること、またこの削面を形成することで（特に、頭側方向「目透かし方向」において、同じ削り角度とすることで）、メリハリのある陰影の生成と、美的な高級感を醸成できること（桧皮葺風の厚みのある屋根を提供すること）等の実益を有する。さらに、この請求項１は、略凹形状の凹部を囲繞する平坦帯部を設けた構造であり、外圧からの対抗性と、歪防止、並びに成形時の歩留まりの向上に役立て得る特徴を有する。
【００２１】
請求項２の発明は、請求項１に記載の擬似こけら瓦において、
平瓦本体の裏面に設けた凹部は、裏面視して略楕円形状とするとともに、凹部は、平坦帯部に向って競り上って設けた傾斜面を介して、平坦帯部に連設される構成とした擬似こけら瓦である。
【００２２】
従って、請求項２は、請求項１の目的を達成できること、また、略凹形状の凹部と、凹部を囲繞する傾斜面、及び平坦帯部を設けた構造とし、外圧からの対抗性と、歪防止、並びに成形時の歩留まりの向上に役立て得ること等の特徴を有する。
【００２３】
請求項３の発明は、請求項１に記載の擬似こけら瓦において、
平瓦本体の裏面に設けた凹部の尻側は、尻剣まで至るとともに、頭側は、削面の基端側までとし、削面の頭側裏面は、フラットとする構成とした擬似こけら瓦である。
【００２４】
従って、請求項３は、請求項１の目的を達成できること、また、略凹形状の凹部を設ける位置を限定する構造とし、外圧からの対抗性と、歪防止、並びに成形時の歩留まりの向上・擬似こけら瓦の軽量化に役立て得る特徴を有する。
【００２５】
請求項４の発明は、請求項１に記載の擬似こけら瓦において、
尻剣が、一本尻剣構造とした擬似こけら瓦である。
【００２６】
従って、請求項４は、請求項１の目的を達成できること、また、略凹形状の凹部と、この凹部の尻側に一本尻剣を設けた構造とし、外圧からの対抗性と、歪防止、並びに成形時の歩留まりの向上に役立て得ること等の特徴を有する。
【００２７】
請求項５の発明は、請求項１に記載の擬似こけら瓦において、
周辺に設けた平坦帯部を、葺設後に、踏み台として利用する構成とした擬似こけら瓦である。
【００２８】
従って、請求項５は、請求項１の目的を達成できること、また、略凹形状の凹部を囲繞する平坦帯部を設けた構造であり、外圧からの対抗性と、歪防止、並びに踏み割れ防止に役立て得ること等の特徴を有する。
【発明を実施するための最良の形態】
【００２９】
本発明の一例を説明する。
【００３０】
図面の説明をすると、図１は平面視した斜視図、図２は底面視した斜視図、図３−１は他方側端部よりみた側面図、図３−２は、図３−１の断面図、また、図４−１は頭側よりみた正面図、図４−２は、図４−１の断面図、図４−３は、図４−１の凹部が別の形状の断面図、図５−１は筋葺きした葺設状態の俯瞰図、図５−２は、図５−１の側面図、図６は千鳥葺きした葺設状態の削面と、瓦本体の表面との間に形成される目透かしを示した俯瞰正面斜視図、図７は千鳥葺きした葺設状態の雨水の流れを説明する俯瞰図、図８は千鳥葺きした葺設状態の俯瞰正面図である。
【００３１】
１は擬似こけら瓦Ａ（平瓦）の瓦本体で、この瓦本体１の裏面１００には、その一方・他方側端部周辺１ａ、１ｂから頭側周辺１ｃ（後述する削面の基端側）とで形成される略Ｕ字形の平坦帯部２が形成されている。そして、この平坦帯部２と、表面１０１で瓦本体１の厚みＢが形成される。尚、葺設時において、この上段の擬似こけら瓦Ａ１の平坦帯部２は、下段の擬似こけら瓦Ａの表面１０１に当接するために、葺設時の踏み割れ防止として機能し、擬似こけら瓦Ａ、Ａ１に対する外圧（例えば、踏みつけ時、その他の荷重）に耐え得る構造である。尚、この平坦帯部２は、図示しないが、一方・他方側端部周辺１ａ、１ｂから頭側周辺１ｃと、尻剣周辺１ｄに亘って、方形状の平坦帯部２とすることも可能である。この方形状の平坦帯部２の例では、前述の踏み割れ防止等の外圧及び／又は荷重に対して、極めて、有効である。図中１０２ａは、瓦本体１の一方側端部を、また、１０２ｂは、瓦本体１の他方側端部を、それぞれ示す。そして、本発明は、瓦本体１を小型化することで、擬似こけら瓦Ａ全体の軽量化と、屋根に対する負担の軽減化が図れる。
【００３２】
そして、図４−２の例では、この平坦帯部２の中（内方）に凹部３が形成され、この凹部３は、裏面視して略楕円形状を呈しており、そして、この平坦帯部２と凹部３の間には、傾斜面４が設けられる構造であり、この傾斜面４が存在することで、例えば、凹部３に対する外圧及び／又は荷重を、拡散できること、擬似こけら瓦Ａの一層の軽量化と、粘土の節約化を図ること等の特徴がある。そして、この一例では、凹部３は、削面５の基端側５００（凹部３の凹部頭側端部３００）から、尻剣６の尻剣頭側端面６００までとし、広い面積を確保すること、並びにこの凹部３は、前記一方・他方側端部周辺１ａ、１ｂと、頭側周辺１ｃ（削面５の基端側５００）との三辺端部を介して、三方向が囲繞される構造である。そして、この凹部３は、平坦帯部２の中心、又は略中心に設けることで、前述の外圧及び／又は荷重を、拡散できること、また傾斜面４の特性を発揮できること等の実益がある。そして、また、この傾斜面４は、凹部３を形成することで発生し易い、歪み解消、耐久性の低下等の回避を図ることを意図する。また、この凹部３は後述する横棧との関係で、空間（図示せず）が形成される構造であり、横棧の乾燥と、平坦帯部２の二点支持となり、ガタツキ防止に有効であり、また、擬似こけら瓦Ａの捻れに対応できるので有効であり（葺き上げの簡易化、廃棄擬似こけら瓦Ａの発生回避に役立つ）、極めて、実用的である。尚、図４−３では、傾斜面４を設けず、断面コの字形状とした、別の形状の凹部３を形成する。
【００３３】
前記削面５は、基端側５００（凹部３の凹部頭側端部３００）から頭側１０３の垂れ１０３ａに向って深く形成されており、また、一方・他方側端部周辺１ａ、１ｂに向って、均一な傾斜面４０１を備えている。従って、この一方・他方側端部周辺１ａ、１ｂの端側から、この削面５は視認できる。さらに、この削面５と前記凹部３との接点は、削面５の基端側５００であるが、この位置関係を明瞭にするために、後述する図５−１〜図８に示した葺設状態の俯瞰図等を基に説明する。
【００３４】
尚、尻剣６は、瓦本体１の裏面１００で、かつ尻側１０４に一本（一文字形状に）設けられており、この例では、その尻剣頭側端面６００に、凹部３が達する構造であり、この尻剣６が、凹部３に対する外圧、又は荷重に対応することを意図する。また、凹部３を形成することで発生し易い、歪み解消、耐久性の低下等の回避を図りつつ、この尻剣６への粘土のスムーズな供給を図ること等を意図する。
【００３５】
図中８は釘孔である。
【００３６】
次に、図５−１〜図８を基にし、本発明の葺設状態と、その特徴を説明すると（擬似こけら瓦Ａ〜擬似こけら瓦Ａ２の符号と名称は、共通として示す）、図５−１・図５−２は筋葺きした状態を示しているが、図５−２に示した如く、下段（下側）の擬似こけら瓦Ａの尻剣６の尻剣頭側端面６００を、屋根地Ｒに設けた横棧Ｒ１に引掛ける。そして、釘孔８より釘を打ち込むことで、下段（下側）の擬似こけら瓦Ａ（瓦本体１）を、屋根地Ｒに葺設する。その後、この下段の擬似こけら瓦Ａに、上段の擬似こけら瓦Ａ１を葺設するが、この際に、この上段（上側）の擬似こけら瓦Ａ１（瓦本体１）が、下段の擬似こけら瓦Ａの略半分に重畳するように葺き上げる。そして、この上段の擬似こけら瓦Ａ１の葺設は、前述の擬似こけら瓦Ａに準ずる。
【００３７】
さらに、前記葺設された上段の擬似こけら瓦Ａ１には、最上段の擬似こけら瓦Ａ２が葺設されるが、この最上段の擬似こけら瓦Ａ２（瓦本体１）は、上段の擬似こけら瓦Ａ１の略半分に重畳するように葺き上げる。また、この最上段の擬似こけら瓦Ａ２の削面５の基端側５００は、図５−２に示した側面図の如く、下段の擬似こけら瓦Ａの尻剣６の尻剣頭側端面６００と略同じ位置となる。そして、この最上段の擬似こけら瓦Ａ２の葺設は、前述の擬似こけら瓦Ａか、擬似こけら瓦Ａ１に準ずる。
【００３８】
以上の、下段の擬似こけら瓦Ａ〜最上段の擬似こけら瓦Ａ２の葺設は、一例であり、このパターンの繰り返しを介して、屋根を葺上げる。
【００３９】
また、図６に示すように、千鳥葺きにした場合、上段の擬似こけら瓦Ａ１の削面５と、下段の擬似こけら瓦Ａの表面１０１との間に、頭見付けの隙間１０（目透かし）が形成されることから、下段の擬似こけら瓦Ａとの接地面（接点）がないので、この目透かしを覆うように、被膜が形成され、この上段の擬似こけら瓦Ａ１の削面５の基端側５００と、下段の擬似こけら瓦Ａの表面１０１との接地面との微細な隙間１０ａ（略０に近い隙間）で発生する毛細管現象による雨水の侵入防止が図れる。そして、この目透かし（削面５）の特徴は、頭側方向「目透かし方向」において、メリハリのある陰影の生成と、美的な高級感を醸成できること（桧皮葺風の厚みのある屋根を提供すること）、上段の擬似こけら瓦Ａ１の削面５と、下段の擬似こけら瓦Ａの表面１０１との間に形成される隙間１０によって、影１０ｂができる特徴と、この特徴に併せて、表面１０１を、例えば杉皮調、石目、波目、荒削り表面等として変化させることにより、光の乱反射による様々な印象を提供できる、等の実益を有する。
【００４０】
そして、図７に示すように、千鳥葺きにした場合、上段の擬似こけら瓦Ａ１の表面１０１に流下及び／又は降雨した雨水（雨水とする）は、下段の擬似こけら瓦Ａの表面１０１に、矢印「イ」の如く、例えば、頭側１０３（表面１０１を省略する）の周辺から三方向に分散され、矢印「ロ」の如く、例えば、上段の擬似こけら瓦Ａ１の頭側１０３から、二枚の下段の擬似こけら瓦Ａ、Ａの真中１０１ａに、それぞれ分散される。この矢印「ロ」の如く、分散される要素は、頭側１０３に設けた削面５（目透かし）が、大きく、影響しており、この上段の擬似こけら瓦Ａ１から、下段の擬似こけら瓦Ａの真中１０１ａに、飛び移るように流下するものと考えられる。従って、前述の如く、雨水の侵入防止と、屋根地Ｒの濡れ防止、又はスムーズな雨水の流れを確保できること等の特徴を有する。
【図面の簡単な説明】
【００４１】
【図１】図１は平面視した斜視図
【図２】図２は底面視した斜視図
【図３−１】図３−１は他方側端部よりみた側面図
【図３−２】図３−２は、図３−１の断面図
【図４−１】図４−１は頭側よりみた正面図
【図４−２】図４−２は、図４−１の断面図
【図４−３】図４−３は、図４−１の凹部が別の形状の断面図
【図５−１】図５−１は筋葺きした葺設状態の俯瞰図
【図５−２】図５−２は、図５−１の側面図
【図６】図６は千鳥葺きした葺設状態の削面と、瓦本体の表面との間に形成される目透かしを示した俯瞰正面斜視図
【図７】図７は千鳥葺きした葺設状態の雨水の流れを説明する俯瞰図
【図８】図８は千鳥葺きした葺設状態の俯瞰正面図
【符号の説明】
【００４２】
１            瓦本体
１ａ          一方側端部周辺
１ｂ          他方側端部周辺
１ｃ          頭側周辺
１ｄ          尻剣周辺
１００        裏面
１０１        表面
１０１ａ      真中
１０２ａ      一方側端部
１０２ｂ      他方側端部
１０３        頭側
１０３ａ      垂れ
１０４        尻側
２            平坦帯部
３            凹部
３００        凹部頭側端部
４            傾斜面
４０１        傾斜面
５            削面
５００        基端側
６            尻剣
６００        尻剣頭側端面
８            釘孔
１０          隙間
１０ａ        微細な隙間
１０ｂ        影
Ａ            擬似こけら瓦
Ａ１          擬似こけら瓦
Ａ２          擬似こけら瓦
Ｂ            厚み
Ｒ            屋根地
Ｒ１          横棧
【要約】
【課題】従来の文献では、尻側に水切り突条を備えた板状の瓦本体は、その表面に、両側端縁部から、中に向って先下がりの傾斜面を設け、傾斜面の先下がり箇所に、側端縁部に対し凹没した曲面状の流水谷部を設け、裏面に、両側端縁部から、中に向って先下がりの傾斜面を設け、傾斜面の先下がり箇所に、側端縁部に対し背面凹没部を設け、表裏面の傾斜面、又は背面凹没部と、流水谷部が対峙関係となる構造の擬似こけら瓦の提供を意図する。
【構成】本発明は、擬似こけら瓦でなる平瓦で、平瓦の平瓦本体の裏面に、その周辺に平坦帯部と、また平坦帯部に凹部を形成し、また、平瓦本体の頭側裏面に、凹部の凹部頭側端部から頭側垂れに向って深く形成した削面を設け、さらに平瓦本体の尻側裏面に尻剣を設ける構成とした擬似こけら瓦で、目透かしを設けたことを特徴とする。
【選択図】図１【図１】
0004134275.tif 000002
【図２】
0004134275.tif 000003
【図３−１】
0004134275.tif 000004
【図３−２】
0004134275.tif 000005
【図４−１】
0004134275.tif 000006
【図４−２】
0004134275.tif 000007
【図４−３】
0004134275.tif 000008
【図５−１】
0004134275.tif 000009
【図５−２】
0004134275.tif 000010
【図６】
0004134275.tif 000011
【図７】
0004134275.tif 000012
【図８】
0004134275.tif 000013